【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  流体の流れのために硬い部材に曲がり易いチューブを取り付けるためのシーリングアセンブリであり：
硬い接続部材と；
前記接続部材との間にキャビティを有し、少なくとも１つの曲がり易いチューブの通過のための少なくとも１つのチュービングホールを有する、前記接続部材に隣接する硬いブッシングと； 
少なくとも１つの曲がり易いチューブの通過のための少なくとも１つのチュービングホールを有する、前記キャビティの中の圧縮性ウェーハシールと；
より構成されるシーリングアセンブリであって、
前記キャビティは前記ブッシングと前記接続部材との間の前記ウェーハシールを圧縮し、これにより、前記少なくとも１つの曲がり易いチューブの周りの前記ウェーハシールをシーリングするために前記ウェーハシールを貫く前記少なくとも１つのチュービングホールの直径を減少させる、
ことを特徴とするシーリングアセンブリ。
【請求項２】  前記ブッシングは前記接続部材に取り付けるために適合される、ことを特徴とする請求項１に記載のシーリングアセンブリ。
【請求項３】  前記ウェーハシールは前記キャビティの軸方向の深さより大きい厚さを有し、前記ウェーハシールの前記圧縮は軸方向の圧縮であり、そして、前記キャビティは前記ウェーハシールの前記軸方向の圧縮に関して前記キャビティ内の前記ウェーハシールの放射状の拡大を防止する、ことを特徴とする請求項１に記載のシーリングアセンブリ。
【請求項４】  前記キャビティは前記ブッシングの中に形成される、ことを特徴とする請求項１に記載のシーリングアセンブリ。
【請求項５】  前記キャビティは前記接続部材の中に形成される、ことを特徴とする請求項１に記載のシーリングアセンブリ。
【請求項６】  前記接続部材に取り付けられる硬いスエージクランプであって、前記スエージクランプと前記接続部材との間の前記ブッシングを有し、少なくとも１つのテーパーをつけられたスエージングホールを有する硬いスエージクランプと；前記ブッシングから伸びる少なくとも１つのスエージチューブであって、前記スエージチューブを貫く前記少なくとも１つの曲がり易いチューブの通過のための前記ブッシングの中の前記少なくとも１つのチュービングホールと適合され、前記接続部材に前記スエージクランプを前記取り付けることに関して前記スエージクランプ内の前記少なくとも１つのスエージングホールの中に配置される、前記少なくとも１つのスエージチューブと；より更に構成され、前記スエージクランプ内の前記少なくとも１つのテーパーをつけられたスエージングホールは前記接続部材に前記スエージクランプを取り付けることに関して直径を減少させるようにして前記少なくとも１つのスエージチューブをスエージング加工され、これにより、前記少なくとも１つのスエージチューブの中に前記少なくとも１つの曲がり易いチューブを納める、ことを特徴とする請求項１に記載のシーリングアセンブリ。
【請求項７】  前記接続部材はマニホールドより構成される、ことを特徴とする請求項１に記載のシーリングアセンブリ。
【請求項８】  前記接続部材はチュービングカプラより構成される、ことを特徴とする請求項１に記載のシーリングアセンブリ。
【請求項９】  流体の流れのために硬い部材に曲がり易いチューブを取り付けるためのシーリングアセンブリであり：
硬い接続部材と；
少なくとも１つのテーパーをつけられたスエージングホールを有する、前記接続部材に取り付けるために適合される硬いスエージクランプと；
前記接続部材との間にキャビティを有し、少なくとも１つの曲がり易いチューブの通過のための少なくとも１つのチュービングホールを有する、前記スエージクランプと前記接続部材との間の硬いスエージブッシングと；
前記スエージチューブを貫く前記少なくとも１つの曲がり易いチューブの通過のための前記エージブッシング内の前記１つのチュービングホールと適合され、前記接続部材に前記スエージクランプを取り付けることに関して前記スエージクランプ内の前記少なくとも１つのチュービングホールの中に位置付けられた、前記スエージブッシングから伸びる少なくとも１つのスエージチューブと；
前記少なくとも１つの曲がり易いチューブの通過のための少なくとも１つのチュービングホールを有する、前記キャビティの中の圧縮性ウェーハシールと；
より構成されるシーリングアセンブリであって、
前記スエージクランプ内の前記少なくとも１つのテーパーをつけられたスエージングホールは、前記接続部材に前記スエージクランプを取り付けることに関して直径を減少させるようにして前記少なくとも１つのスエージチューブをスエージング加工され、これにより、前記少なくとも１つのスエージチューブの中に前記少なくとも１つの曲がり易いチューブを納め、
前記キャビティは、前記接続部材に前記スエージクランプを取り付けることに関して前記ブッシングと前記接続部材との間の前記ウェーハシールを圧縮し、これにより、前記少なくとも１つの曲がり易いチューブの周りの前記ウェーハシールをシーリングするために前記ウェーハシールを貫く前記少なくとも１つのチュービングホールの直径を減少させる、
ことを特徴とするシーリングアセンブリ。
【請求項１０】  前記スエージブッシングは前記接続部材に取り付けるために適合される、ことを特徴とする請求項９に記載のシーリングアセンブリ。
【請求項１１】  前記ウェーハシールは前記キャビティの軸方向の深さより大きい厚さを有し、前記ウェーハシールの前記圧縮は軸方向の圧縮であり、そして、前記キャビティは前記ウェーハシールの前記軸方向の圧縮に関して前記キャビティ内の前記ウェーハシールの放射状の拡大を防止する、ことを特徴とする請求項９に記載のシーリングアセンブリ。
【請求項１２】  前記キャビティは前記スエージブッシングの中に形成される、ことを特徴とする請求項９に記載のシーリングアセンブリ。
【請求項１３】  前記キャビティは前記接続部材の中に形成される、ことを特徴とする請求項９に記載のシーリングアセンブリ。
【請求項１４】  前記接続部材はマニホールドより構成される、ことを特徴とする請求項９に記載のシーリングアセンブリ。
【請求項１５】  前記接続部材はチュービングカプラより構成される、ことを特徴とする請求項９に記載のシーリングアセンブリ。
【請求項１６】  流体の流れのために硬い部材に曲がり易いチューブを取り付けるためのシーリングアセンブリであり：
硬い接続部材と；
前記接続部材の面に隣接する面を有する硬いブッシングであって、前記ブッシングの前記面か又は前記接続部材の前記面のどちらかに延びるように形成されたキャビティを有し、少なくとも１つの曲がり易いチューブの通過のための少なくとも１つのチュービングホールを有する、ブッシングと；
少なくとも１つの曲がり易いチューブの通過のための少なくとも１つのチュービングホールを有する、前記キャビティの中の圧縮性ウェーハシールと；
より構成されるシーリングアセンブリであって、
前記キャビティは前記ブッシングと前記接続部材との間の前記ウェーハシールを圧縮し、これにより、前記少なくとも１つの曲がり易いチューブの周りの前記ウェーハシールをシーリングするために前記ウェーハシールを貫く前記少なくとも１つのチュービングホールの直径を減少させる、
ことを特徴とするシーリングアセンブリ。  
【請求項１７】  流体の流れのために硬い部材に曲がり易いチューブを取り付けるためのシーリングアセンブリであり：
硬い接続部材と；
前記接続部材との間にキャビティを有し、複数の曲がり易いチューブの通過のための複数のチュービングホールを有する、前記接続部材に隣接する硬いブッシングと； 
複数の曲がり易いチューブの通過のための複数のチュービングホールを有する、前記キャビティの中の圧縮性ウェーハシールと；
より構成されるシーリングアセンブリであって、
前記キャビティは前記ブッシングと前記接続部材との間の前記ウェーハシールを圧縮し、これにより、前記複数の曲がり易いチューブの各々の周りの前記ウェーハシールをシーリングするために前記ウェーハシールを貫く前記複数のチュービングホールの各々の直径を減少させる、
ことを特徴とするシーリングアセンブリ。
【請求項１８】  流体の流れのために硬い部材に曲がり易いチューブを取り付けるためのシーリングアセンブリであり：
硬い接続部材と；
前記接続部材の面に隣接する面を有する硬いブッシングであって、前記ブッシングの前記面か又は前記接続部材の前記面のどちらかに延びるように形成されたキャビティを有し、複数の曲がり易いチューブの通過のための複数のチュービングホールを有する、ブッシングと；
複数の曲がり易いチューブの通過のための複数のチュービングホールを有する、前記キャビティの中の圧縮性ウェーハシールと；
より構成されるシーリングアセンブリであって、
前記キャビティは前記ブッシングと前記接続部材との間の前記ウェーハシールを圧縮し、これにより、前記複数の曲がり易いチューブの各々の周りの前記ウェーハシールをシーリングするために前記ウェーハシールを貫く前記複数のチュービングホールの各々の直径を減少させる、
ことを特徴とするシーリングアセンブリ。